(57)【要約】【課題】ユーザーの個性を最大限発揮できて、かつ、低価格のアクセサリーショップを提供することを目的とする。【解決手段】インターネットは、ユーザー及び、アクセサリーショップの間の情報及び、サービスを結合する。ユーザーは、アクセサリーホームページで、アクセサリーショップのサービス内容が認識できる。また、ユーザーは、アクセサリーショップに対する要望、連絡を電子メールによって、送受信できる。そして、アクセサリーショップは、ユーザーとアクセサリーショップを結び、ユーザーが実際にアクセサリーの製作及び、ネット販売を可能とする場所である。すなわち、ユーザーは、インターネットで得た情報によって、オリジナルアクセサリーを低価格で製作し、個性を発揮した、装飾が可能となる。【選択図】        図１
2005018585.tif 000002
【特許請求の範囲】
【請求項１】
インターネットのアクセサリーホームページと、ユーザー、メーカー及び、アクセサリーショップを結合し、前記ユーザーが前記アクセサリーショップで、必要なアクセサリーを製作し入手することを特徴とするアクセサリーショップ。
【請求項２】
前記アクセサリーショップが前記メーカーに対して、装身具パーツ供給の指示機能を有し、前記装身具パーツを前記アクセサリーショップに供給することを特徴とする請求項１に記載のアクセサリーショップ。
【請求項３】
前記ユーザーが製作した装身具に適合した見積書と入金を，  前記インターネットを通じて実施することを特徴とする請求項１乃至２の何れか一項に記載のアクセサリーショップ。
【請求項４】
前記ユーザーの使用条件によって、基本アクセサリーパターンを決定する条件解析装置を有することを特徴とする請求項１乃至３の何れか一項に記載のアクセサリーショップ。
【請求項５】
前記インターネットのアクセサリーホームページは、アクセサリーデータベースを閲覧可能とすることを特徴とする請求項１に記載のアクセサリーショップ。
【請求項６】
前記アクセサリーホームページの前記アクセサリーデータベースは、前記ユーザー希望の解析、推選パターンの決定、パーツリストの作成及び、ユーザーリストの作成を可能とすることを特徴とする請求５に記載のアクセサリーショップ。
【請求項７】
基本アクセサリーパターンをパーツデータベースに入力し、装身具パーツ及び装身具の分類、必要パーツ、型式、仕様、価格などの前記パーツリストを作成することを特徴とする請求項５乃至６の何れか一項に記載のアクセサリーショップ。
【請求項８】
前記ユーザーからのファクシミリ及び電子メールによるデザインに適合する、前記基本アクセサリーパターンを決定する自動識別装置を有することを特徴とする請求項５乃至７の何れか一項に記載のアクセサリーショップ。
【発明の詳細な説明】
【０００１】
【発明の属する技術分野】
本発明は、インターネットを利用したアクセサリーのアクセサリーショップに関するものである。
【０００２】
【従来の技術】
図８は、従来のインターネットアクセサリーを示す図である（特開２００２−１５０１７２号公報参照）。図８に示すように、メーカー１０１は、ユーザー１０３への提供データを、インターネット技術によるサイトサーバー１０２によって、加工データとし、双方向に入出力できるようにする。
【０００３】
【発明が解決しようとする課題】
しかしながら、このようなアクセサリーショップにおいては、あらかじめメーカーで製作されたアクセサリーを身体に装着するので、個性が制限されたアクセサリーになる。また、従来の装身具用パーツは、多様な機能のものが、開発されているが、ユーザーが十分把握しない状態で装飾している。
さらに、メーカーは、多様な個性に対応するアクセサリーを製作し、多くの中間流通を経由してユーザーへ供給するので、単価の高い製品を供給することになる。
【０００４】
本発明は上述の課題を解決するためになされたもので、インターネットのアクセサリーショップによって、ユーザーの個性を最大限発揮できて、かつ、中間流通を省いたユーザーへの直接販売によって価格を安く提供することを目的とする。
【０００５】
【課題を解決するための手段】
この目的を達成するため、本発明においては、特許請求の範囲に記載するように構成している。すなわち、本発明は、請求項１に記載のように、
インターネットのアクセサリーホームページと、ユーザー、メーカー及び、アクセサリーショップを結合し、前記ユーザーが前記アクセサリーショップで、必要なアクセサリーを製作し入手することを特徴とするアクセサリーショップを構成する。
また、本発明は、請求項２に記載のように、
前記アクセサリーショップが前記メーカーに対して、装身具パーツ供給の指示機能を有し、前記装身具パーツを前記アクセサリーショップに供給することを特徴とする請求項１に記載のアクセサリーショップを構成する。
また、本発明は、請求項３に記載のように、
前記ユーザーが製作した装身具に適合した見積書と入金を，  前記インターネットを通じて実施することを特徴とする請求項１乃至２の何れか一項に記載のアクセサリーショップを構成する。
また、本発明は、請求項４に記載のように、
前記ユーザーの使用条件によって、基本アクセサリーパターンを決定する条件解析装置を有することを特徴とする請求項１乃至３の何れか一項に記載のアクセサリーショップを構成する。
また、本発明は、請求項５に記載のように、
前記インターネットのアクセサリーホームページは、アクセサリーデータベースを閲覧可能とすることを特徴とする請求項１に記載のアクセサリーショップを構成する。
また、本発明は、請求項６に記載のように、
前記アクセサリーホームページの前記アクセサリーデータベースは、前記ユーザー希望の解析、推選パターンの決定、パーツリストの作成及び、ユーザーリストの作成を可能とすることを特徴とする請求５に記載のアクセサリーショップを構成する。
また、本発明は、請求項７に記載のように、
基本アクセサリーパターンをパーツデータベースに入力し、装身具パーツ及び装身具の分類、必要パーツ、型式、仕様、価格などの前記パーツリストを作成することを特徴とする請求項５乃至６の何れか一項に記載のアクセサリーショップを構成する。
また、本発明は、請求項８に記載のように、
前記ユーザーからのファクシミリ及び電子メールによるデザインに適合する、前記基本アクセサリーパターンを決定する自動識別装置を有することを特徴とする請求項５乃至７の何れか一項に記載のアクセサリーショップを構成する。
【０００６】
【発明の実施の形態】
図１は本発明に係るアクセサリーショップを示す図である。図１に示すように、インターネット１０は、ユーザー１１及び、アクセサリーショップ１２の間の情報及び、サービスを結合する。ユーザー１１はアクセサリーショップ１２が作成したアクセサリーホームページ１４及び、アクセサリーデータベース１５によって、インターネット１０を介して、アクセサリーショップ１２のサービス内容が認識できる。また、ユーザー１１は、アクセサリーショップ１２に対する要望、連絡を電子メールによって、送受信できる。
【０００７】
そして、アクセサリーショップ１２は、ユーザー１１とアクセサリーショップ１２を結び、ユーザー１１が実際にアクセサリーの製作を行う場所である。すなわち、ユーザー１１は、インターネット１０で得た情報によって、オリジナルアクセサリーを製作し、入手して（ステップＳ１５）、装飾が可能となる。
【０００８】
従って、メーカー１３は、装身具パーツ５０及び、真珠などの装飾具５１を準備し、そして、アクセサリーショップ１２はユーザー１１のオリジナルアクセサリーの製作をアドバイスする。さらに、ユーザー１１の希望するオリジナルアクセサリーをアクセサリーデーターベース１５で解析し、メーカー１３は、装身具パーツ５０及び、真珠などの装飾具５１を、ユーザー１１にネット販売する（ステップＳ１６）。
【０００９】
また、ユーザー１１は、希望アクセサリー５４、ユーザー個性５５及び、アクセサリーシーン５６を、アクセサリーホームページ１４に入力する。希望アクセサリー５４として入力する項目は、例えば、真珠のネックレス、ダイヤのペンダント及び、シルバーチェーンなどがある。また、ユーザー個性５５の入力する項目は、例えば、趣味、年令、身長などがある。さらに、アクセサリーシーン５６の入力する項目は、例えば、アクセサリーの使用月日、場所、目的及び、服装などがある。
なお、アクセサリーシーンに於いて、ユーザー１１が身に着けたいアクセサリーアイテムとそのイメージ、アクセサリー材料（珠の種類、シルバー又はゴールド、或いは色など）が必要な場合も、アクセサリーホームページ１４へ入力可能とする。
【００１０】
図１に示したインターネットショップ１２によれば、ユーザー１１は、オリジナルアクセサリーが得られ、また、ネット販売によって、手数のかからない、オリジナルアクセサリーが得られる。
次に、図２は、図１に示したアクセサリーデーターベース１５の処理内容の説明図である。図２に示すように、ユーザー１１のアクセサリーに対する希望の一例は、雑誌の写真・イラスト４０による。ファッション雑誌の写真でファッションイメージのオプションから選ばせると、ユーザー１１の希望が、エレガントか、オーソドックスかなどの傾向がわかる。
そして、ユーザー１１は、例えば、ファクシミリ（ＦＡＸ）でアクセサリーショップ１２に送信する。受信したアクセサリーショップ１２は、スキャナ４５により、ＦＡＸの写真・イラスト４０を読取り、デジタル画像に変換する。そして、デジタル画像を自動識別装置４６に入力する。
自動識別装置４６では、デジタル画像を解析して、アクセサリーとしての特徴を抽出し、自動識別する。さらに、各アクセサリーは、例えば、珠７０は、真珠７５とダイヤ７６に自動識別する。また、ネックレス７１及び、ブレスレット７２は、入力画像に適合するロープ７７と留め金具７８を同定する。
また、各アクセサリーの特徴は、色、大きさ、長さ、形状によって同定する。以上の自動識別装置４６の処理によって得られたアクセサリーパターンを、真珠７５に対してはＰｎ、ダイヤ７６ではＤｎ，ネックレス７１ではＮＡｎ、ブレスレット７２ではＢＡｎ，ブローチ７３ではＶＡｎとして、条件解析８５の入力とする。一方、ユーザー１１のアクセサリーに対する希望の他の一例は、雑誌４１に掲載のアクセサリーに、コードＮＯ．が付加されている場合がある。この場合は、コードＮＯ．に対応したアクセサリーデータベース１５によって、即座にアクセサリーパターンＰｎ、Ｄｎ，ＮＡｎ、ＢＡｎ，  ＶＡｎが得られ、条件解析８５の入力とすることが可能となる。
【００１１】
さらに、ユーザー１１のアクセサリーに対する希望の他の一例は、ユーザー１１と、アクセサリーホームページ１４とのアンケート４２による方法がある。すなわち、ユーザー１１のアクセサリーに対する希望を、アンケートによって取得し、アクセサリーデーターベース１５のアンケート分析４８によって、アクセサリーパターンＰｎ、Ｄｎ，ＮＡｎ、ＢＡｎ，  ＶＡｎを得る方法がある。
【００１２】
次に、条件解析８５は、アクセサリーパターンＰｎ、Ｄｎ，ＮＡｎ、ＢＡｎ，  ＶＡｎを入力とし、ユーザー１１の使用目的４３に適合したアクセサリーの推選パターン８６を得るものである。ここで、使用目的４３は、図１に示したユーザー個性５５と、アクセサリーシーン５６で構成したデータである。
【００１３】
そして、ユーザー１１は、アクセサリーの推選パターンＰ１、Ｄ１，ＮＡ１、ＢＡ１，  ＶＡ１を基本として、メーカー１３が準備した珠、ロープ及び、留め金具を使用して、アクセサリーショップ１２において、手作りアクセサリー（ＡＳ）８７を制作する。その結果、ユーザー１１は、希望のオリジナルアクセサリー（ＡＳ）８８を得ることができる。
【００１４】
この図２示した自動識別装置４６によれば、アクセサリーデーターベース１５及び、アンケート分析４８によって、ユーザー１１は、雑誌４０，４１及び、アンケート４２を入力手段とした、オリジナルアクセサリーが得られる。
次に、図３は、図２に示した基本アクセサリーパターンの候補（ステップＳ１７）の決定方法の説明図である。図３に示すように、ユーザー１１からアクセサリーショップ１２に連絡される情報が、ファクシミリ（ＦＡＸ）９０によるアクセサリーＸ１の場合である。アクセサリーショップ１２は、次の手順で基本アクセサリーパターンの候補を決定できる。
図３（ａ）に示すように、アクセサリーショップ１２のデザイナー９２が、ユーザー１１のＦＡＸ９０に一致したデザインを、アクセサリーデータベース２０から選択して、基本アクセサリーパターンの候補９３とする。
図３（ｂ）に示すように、基本アクセサリーパターンの決定装置２１によって、自動的に基本アクセサリーパターンの候補９３を決定する。
【００１５】
そして、図３（ｂ）に示すように、基本アクセサリーパターンの決定装置２１は、アクセサリーデータベース２０、自動識別装置４６及び、スキャナ４５で構成する。まず、ユーザー１１からのＦＡＸ９０は、スキャナ４５で電子ファイルに変換する。この電子ファイルは、アクセサリーショップ１２が構築したアクセサリーデータベース２０と、自動識別装置４６によって照合して、両者のパターンが一致するものを、基本アクセサリーパターンの候補９３とする。
【００１６】
図３の自動識別装置４６によって、ＦＡＸで希望されたアクセサリーから、オリジナルアクセサリーを自動的に得ることができる。
【００１７】
図４は、図３に示した基本アクセサリーパターンの候補９３の自動識別装置４６についての詳細な説明図である。図４に示すように、自動識別装置４６は、デジタル画像処理によって、線状体の本数、太さ、材質及び色をパターン認識する。また、留め金具も、同様に、ネジ式及び、マグネットについてパターン認識する。そして、使用する珠が真珠か、ダイヤかを決定する。これらのパターン認識の結果を使用して、アクセサリーデータベース２０を検索することによって、基本アクセサリーパターンの候補として、パターンＬ、パターンＭ及び、パターンＮの３種類が決定できる。
【００１８】
この自動識別装置４６によれば、ユーザー１１及び、アクセサリーショップ１２は、手間も不要で、正確な基本アクセサリーパターンの候補を決定できる。
【００１９】
次に、アクセサリーの使用条件を入力して、基本アクセサリーパターンの候補を決定する方法を説明する。
図５は、アクセサリーの使用条件を入力した場合についての詳細な説明図である。図５に示すように、アクセサリーの使用条件は、使用予定、使用場所、使用目的、アクセサリー装着時の衣装、予算及び個人の情報である。ユーザー１１は、このアクセサリーの使用条件を入力し、インターネット１０を介して、アクセサリーショップ１２に送信する。アクセサリーショップ１２は条件解析装置６１を有し、ユーザー１１のアクセサリーの使用条件６０から、季節、冠婚葬祭、洋服、個人及び、予算の項目について解析する。そして、解析した条件を、アクセサリーデータベース２０に入力して、条件ごとに分類された基本アクセサリーパターンの候補を決定する（ステップＳ１７）。
【００２０】
この条件解析装置６１によれば、ユーザー１１は、デザインを探す手間も不要で、正確で、かつ、必要なパーツリストを作成する（ステップＳ１８）ことが可能である。そして、ユーザー１１の使用条件に合致したアクセサリーを入手することが可能となり、ユーザー１１の個性を引き出すことができる。
図６は、図５に示した条件解析８５の処理内容の一例を示す説明図である。図６に示すように、一例として、ユーザー１１のアクセサリーシーン５６の項目には、季節、使用目的及び、洋服を入力する。また、ユーザー１１のユーザー個性５５の項目に身長を入力する。それぞれに該当する項目に、◎印をマークする。この実施例では、ユーザー１１は、夏の結婚式が海外で行われ、出席する。そして、白のワンピースの服装で出席予定である。また、ユーザー１１の身長は、１５５ｃｍである。図６（ａ）は、この条件に一致したアクセサリーを入手する場合の、アクセサリーデータベースの解析表である。
【００２１】
すなわち、珠は真珠とダイヤである。また、アクセサリーデータベース２０に、既に記録してあるアクセサリー（ＡＳ）パターンとしてＡ，Ｂ及び、Ｃがある。これら、珠及び、ＡＳパターンには、図６（ａ）の○印に示すように、アクセサリーシーン及び、ユーザー個性によって、適正がある。
【００２２】
そこで、ユーザーの設定（●印）に、一致している項目を検索し、スコアの行に、一致している項目を◎印、不一致の項目を−印にマークする。そして、各の珠及び、アクセサリーパターンごとに、スコアを計算し、合計の列に集計する。
図６（ａ）の実施例では、◎印は、ダイヤが３個、ＡＳパターンＡが４個と、最も多いことが分かる。従って、ユーザー１１の希望に一致するダイヤとＡＳパターンＡのネックレス、ブレスレット及び、ブローチを、図１に示したアクセサリーデータベース１５から選択する。
そして、図６（ｂ）に示すように、ＡＳパターンＡのパーツと個数と単価から、見積額を算出して、ユーザー１１に提示する。なお、図６に示した条件解析８５の処理は、データベースの計算機プログラム、例えば、マイクロソフト社Ｅｘｃｅｌにより、自動で実行可能である。
これら、図６のアクセサリーデータベース２０によって、アクセサリーショップ１２はユーザー１１に対して、オリジナルアクセサリーの見積の自動作成が可能となり、かつ、低価格のアクセサリーショップが実現する。
【００２３】
次に、図７は図５に示したパーツリスト作成（ステップＳ１８）の方法を説明する図である。図７に示すように、図５に示した基本アクセサリーパターンの決定（ステップＳ１７）によって得られた基本アクセサリーパターン２６を、パーツデータベース２７に入力する。パーツデータベース２７には、パーツ及びアクセサリーの分類３５、必要パーツ３６、型式３７、仕様３８及び、価格３９が、あらかじめ記憶されている。
【００２４】
そして、基本アクセサリーパターン２６のアクセサリーを製作するために必要な装身具パーツを、検索することによって、パーツリスト２８が作成できる。このパーツリスト２８の作成結果は、価格３９の合計金額が見積となり（ステップＳ２１）、ユーザー１１へ提示する。また、パーツリスト２８の装身具パーツごとの数量をメーカー１３に指示して、アクセサリーショップ１２に供給する（ステップＳ２２）。
【００２５】
図７のパーツデータベース２７によって、アクセサリー作成が可能なパーツが、
迅速に準備が可能となり、ユーザー１１は、アクセサリーショップ１２に於いて、オリジナルアクセサリーの制作ができる。
【００２６】
【発明の効果】
本発明に係るアクセサリーショップによって得られる効果を請求項ごとに説明する。
【００２７】
まず、請求項１の発明においては、インターネットのアクセサリーパーツのアクセサリーホームページと、ユーザー及び、メーカーを結合することにより、ユーザーの個性を最大限発揮できて、かつ、容易に低価格のオリジナルアクセサリーが得られる。
また、請求項２の発明においては、装身具パーツ供給の指示機能を有し、装身具パーツをアクセサリーショップに供給することにより、ユーザーは、希望のアクセサリーをアクセサリーショップで製作することができる。
また、請求項３の発明においては、ユーザーが製作したアクセサリーに適合した見積書と入金を，インターネットを通じて実施することにより、正確な入金が可能となる。
また、請求項４の発明においては、条件解析装置により、ユーザーの使用条件に最適なアクセサリーを得ることができる。
【００２８】
また、請求項５の発明においては、インターネットのアクセサリーホームページは、アクセサリーショップのアクセサリーを閲覧可能とすることにより、ユーザーは、希望のアクセサリーの基本アクセサリーを得ることができる。
また、請求項６の発明においては、アクセサリーデータベースにより、ユーザ希望するアクセサリーのパーツが、自動的に決定できることにより、低価格のオリジナルアクセサリーが実現する。
また、請求項７の発明においては、パーツデータベースにより、装身具パーツの準備と、見積額の算出が正確に実施可能となる。
また、請求項８の発明においては、ユーザーからのファクシミリ，電子メールによるデザインに適合する基本アクセサリーを決定する自動識別装置を有することにより、ユーザーの負担が少なく、かつ、希望のアクセサリーを得ることができる。
【図面の簡単な説明】
【図１】本発明に係るアクセサリーショップを示す図である。
【図２】図１に示したアクセサリーデーターベース１５の処理内容の説明図である。
【図３】図２に示した基本アクセサリーパターンの候補決定方法の説明図である。
【図４】図３に示した基本アクセサリーパターンの候補の自動識別装置についての詳細な説明図である。
【図５】アクセサリーの使用条件を入力した場合についての詳細な説明図である。
【図６】図２に示した条件解析８５の処理内容の一例を示す説明図である。
【図７】図６に示したパーツリスト作成の方法を説明する図である。
【図８】従来のインターネットアクセサリーを示す図である。
【符号の説明】
１０  インターネット
１１  ユーザー
１２  アクセサリーショップ
１３  メーカー
１４  アクセサリーホームページ
１５  アクセサリーデータベース
２０  アクセサリーデータベース
２１  基本アクセサリーパターンの決定装置
２６  基本アクセサリーパターン
２７  パーツデータベース
２８  パーツリスト
３５  パーツ及びアクセサリーの分類
３６  必要パーツ
３７  型式
３８  仕様
３９  価格
４０  雑誌（写真・イラスト）
４１  雑誌（コードＮＯ．）
４２  アンケート
４３  使用目的
４５  スキャナ
４６  自動識別装置
４８  アンケート分析
５０  装身具パーツ
５１  装飾具
５４  希望アクセサリー
５５  ユーザー個性
５６  アクセサリーシーン
６０  アクセサリーの使用条件
６１  条件解析装置
７０  珠
７１  ネックレス
７２  ブレスレット
７３  ブローチ
７５  真珠
７６  ダイヤ
７７  ロープ
７８  留め金具
８５  条件解析
８６  推選パターン
８７  手作りアクセサリー
８８  オリジナルアクセサリー
９０  ファクシミリ（ＦＡＸ）
９２  デザイナー
９３  基本アクセサリーパターンの候補
１０１  メーカー
１０２  サイトサーバー
１０３  ユーザー
【図１】
2005018585.tif 000003
【図２】
2005018585.tif 000004
【図３】
2005018585.tif 000005
【図４】
2005018585.tif 000006
【図５】
2005018585.tif 000007
【図６】
2005018585.tif 000008
【図７】
2005018585.tif 000009
【図８】
2005018585.tif 000010